(57)【要約】  時間節約となりかつ効率的な手法で、完全性および映画館主の期待に対する適合性について、デジタルシネマ映画をレビューし、チェックするシステムおよび方法。一実施形態において、表示を評価する方法が提供され、ここで、各表示長については、リール時間期間Ｘが判定され（３０１）、所定の点が判定され（３０３）、評価すべき表示長の部分が、望ましくは少なくとも判定された所定の点のそれぞれを含む時間の期間を含むように選択される（３０５）。選択された部分は、バッファ部分、例えばそれぞれの判定された所定の点の前に合計表示長の時間の約５％、後に合計表示長の時間の約５％の時間の期間を含むことができる。別の部分は、合計表示長時間の少なくとも１０％を含む（３０７）、評価のために選択された表示長とすることができる。そのような１０％の選択された部分は、各表示長の中央から選択されることが望ましい。
2009512237.tif 000002
【特許請求の範囲】
【請求項１】
複数の表示長を備える表示を評価するための方法であって、
前記表示について所定の点を判定するステップ（３０３）と、
少なくともそれぞれの所定の点の時間期間を備える表示長の部分を評価するステップ（３０５）と
を有することを特徴とする方法。
【請求項２】
前記所定の点は、表示長の遷移、自動化イベント、および極端なイベントの少なくとも１つを含むことを特徴とする請求項１に記載の方法。
【請求項３】
前記極端なイベントは、最も騒々しい音声のポイント、および最も静かな音声のポイントを備えることを特徴とする請求項２に記載の方法。
【請求項４】
中央の表示長の部分を評価するステップ（３０７）をさらに有することを特徴とする請求項１に記載の方法。
【請求項５】
前記中央の表示長の部分は、それぞれの表示長の約０．４５（Ｘ）分から約０．５５（Ｘ）分の時間の期間を備えることを特徴とする請求項４に記載の方法。
【請求項６】
前記表示長の部分は、それぞれの所定の点の前後にバッファ部分を含むことを特徴とする請求項１に記載の方法。
【請求項７】
前記表示長の部分は、前記所定の点の前に約０．０５（Ｘ）分、前記所定の点の後に約０．０５（Ｘ）分の時間の期間を備えることを特徴とする請求項１に記載の方法。
【請求項８】
複数の表示長から成る表示を評価するための方法であって、
前記複数の表示長の少なくとも１つについて、Ｘ分内に合計表示長の時間期間を判定するステップ（３０１）と、
前記表示長について所定の点を判定するステップ（３０３）と、
少なくとも前記表示長のそれぞれの所定の点の時間期間を備える表示長の部分を評価するステップ（３０５）と
を有することを特徴とする方法。
【請求項９】
前記所定の点は、表示長の遷移、自動化イベント、および極端なイベントの少なくとも１つを含むことを特徴とする請求項８に記載の方法。
【請求項１０】
前記極端なイベントは、最も静かなポイント、および最も騒々しいポイントの少なくとも１つを備えることを特徴とする請求項９に記載の方法。
【請求項１１】
前記表示長の中央部分を評価するステップ（３０７）をさらに有することを特徴とする請求項８に記載の方法。
【請求項１２】
前記中央部分は、前記表示長の約０．４５（Ｘ）分から約０．５５（Ｘ）分の時間の期間を備えることを特徴とする請求項１１に記載の方法。
【請求項１３】
前記表示長の部分は、それぞれの所定の点の前後にバッファ部分を含むことを特徴とする請求項８に記載の方法。
【請求項１４】
前記表示長の部分は、前記所定の点の前に約０．０５（Ｘ）分、前記所定の点の後に約０．０５（Ｘ）分の時間の期間を備えることを特徴とする請求項８に記載の方法。
【請求項１５】
複数の表示長を備えるデジタルシネマ表示を評価するための方法であって、
それぞれの表示長について、Ｘ分内に合計表示長の時間期間を判定するステップ（３０１）と、
前記表示長に関する所定の点を判定するステップ（３０３）であって、前記所定の点は、表示長の遷移、自動化イベント、および極端なイベントの少なくとも１つを含むステップと、
少なくともそれぞれの所定の点の時間期間と、それぞれの所定の点の前後にバッファ部分を備える所定の点の表示長の部分を評価するステップ（３０５）と、
中央の表示長の部分を評価するステップ（３０７）であって、前記中央の表示長の部分は、実質上それぞれの表示長の前記中央に時間の期間を備えるステップと
を有することを特徴とする方法。
【請求項１６】
前記中央の表示長の部分は、それぞれの表示長の約０．４５（Ｘ）分から約０．５５（Ｘ）分の時間期間を備えることを特徴とする請求項１５に記載の方法。
【請求項１７】
それぞれの所定の点の表示長の部分は、前記所定の点の前に約０．０５（Ｘ）分、前記所定の点の後に約０．０５（Ｘ）分の時間の期間を備えることを特徴とする請求項１５に記載の方法。
【発明の詳細な説明】
【技術分野】
【０００１】
本発明は、一般的には、デジタルシネマに関し、より詳細には、例えばデジタルシネマ映画を含むデジタルシネマのコンテンツの品質制御レビューおよび評価のためのシステムおよび方法に関する。
【背景技術】
【０００２】
本出願は、２００５年８月１０日の米国特許出願第６０／７０７，０１８号、発明の名称「TIME SAVING QUALITY CONTROL SYSTEM FOR DIGITAL CINEMA」に関連する。
【０００３】
典型的には、映画が、観客に発表するために映画館で封切られる前に、その映画を、まず、コンテンツについてレビューし、編集しなければならない。現在、従来的なフィルムベースの映画をレビューするプロセスでは、典型的に、誰かが映画全体を視聴して、画像および音響に、問題または観客が不愉快に思うシーンはないか確認する必要がある。このプロセスには、明らかに、少なくとも映画の時間と同じくらいかかる。
【０００４】
テレビの製作および放送などの他の分野では、コンテンツを、簡単な検査を介して（すなわち、コンテンツの一部を調べることによって）レビューすることができることに留意されたい。そのような品質制御（ＱＣ）の方法を、以下によって達成することができる。
１．早送り−コンテンツを標準の１０倍の速さで再生し、レビューする。  
２．選択的サンプリング−構成要素の短い区分を再生し、数分だけ飛ばし、別の短い区分を再生するなど。
【０００５】
ＱＣの第一のモードを、例えば、テープベースのコンテンツ、および早送り再生をサポートするテープレコーダーに用いることができる。第二のモードは、テープベースの機材に対して可能であるが、特にディスクベースのメディアシステムに適している。
【０００６】
映画に用いられる映写機は、これらのモードのどちらの操作もサポートしない。しかし、専門の映写機は、第二のモードをサポートするのに使用可能であり、映画製作および撮影後に詳細を見るために利用される。
【０００７】
現在、映画の配給技術および上映（exhibition）技術は、配給媒体および上映媒体としてフィルムを使用することから、コンピュータファイルとして配給されるデジタル媒体、および、デジタルシネマ再生サーバ、デジタルプロジェクタ、およびオーディオプロセッサを用いて公開されるデジタル媒体を使用することへの過渡期にある。デジタルシネマの進歩とともに、フィルムは、最終的には、配給媒体としてのデジタルシネマ映画で置き換えられることとなる。
【発明の開示】
【発明が解決しようとする課題】
【０００８】
そのようなデジタルシネマ映画は、映画を短い「リール」に分ける場合の標準形式に適合する。各リールは、およそ１０分であり、映画の特定の区分（すなわち、画像ファイル、複数のオーディオファイル、字幕ファイルなど）を作成するのに必要なフィルムを全て包含する。現在の当技術の段階は、端から端まで映画全体を視聴するために人が表示（presentation）をレビューすること／テストすることが必要であり、面倒で、時間のかかることある。したがって、デジタルシネマ映画をレビューする、より迅速でより効果的な方法が、大いに望まれることとなる。
【課題を解決するための手段】
【０００９】
本発明は、先行技術の限界を克服する改善された利便性と効率を有する時間節約となりかつ効率的な手法で、完全性および映画館主の期待に対する適合性について、デジタルシネマ映画をレビューし、チェックするシステムおよび方法を提供する。
【００１０】
一態様において、複数のリールを備えるデジタルシネマの表示を評価するための方法が提供され、この方法は、各リールについてＸ分内に合計リール時間期間（time duration）を判定するステップと、その表示について所定の点（point of interest）を判定するステップと、少なくともそれぞれの所定の点の時間期間を備えるリール部分を評価するステップとを有する。
【００１１】
別の態様において、本発明は、複数のリールから成るデジタルシネマの表示を評価するための方法を提供し、その方法は、複数のリールの少なくとも１つについてＸ分内に合計リール時間期間を判定するステップと、リールについて所定の点を判定するステップと、少なくともリールの所定の点のそれぞれの時間期間を備えるリール部分を評価するステップとを有する。
【００１２】
さらに別の態様では、本発明は、複数のリールを備えるデジタルシネマの表示を評価する方法を提供し、その方法は、各リールについてＸ分内に合計リール時間期間を判定するステップと、その表示について所定の点を判定するステップであって、その所定の点は、リール遷移、自動化イベント、極端なイベントの少なくとも１つを含むステップと、少なくともそれぞれの所定の点の時間期間、およびそれぞれの所定の点の前後にバッファ部分を備えるリール部分の所定の点を評価するステップであって、中央のリール部分は、概ね各リールの中央に時間の期間を備えるステップとを有する。
【００１３】
これらおよび他の態様の本発明の特徴および利点は、好適な実施形態に関する以下の詳細な説明を、添付する図面とともに読むことにより、説明されることになるか、明らかになるであろう。
【００１４】
図面においては、参照番号は、図を通じて同様の要素を意味する。
【００１５】
図面は、本発明の概念を説明することが目的であり、必ずしも本発明の説明に関する可能性のある構成のみでないことを理解されたい。
【発明を実施するための最良の形態】
【００１６】
本発明は、時間節約となりかつ効率的な手法で、完全性および映画館主の期待に対する適合性について、デジタルシネマ映画をレビューし、チェックするシステムおよび方法を提供する。
【００１７】
図１は、それぞれリール時間期間１０２を有する複数のリール１０１に分けられた例示的なデジタルシネマ映画の概略図であって、リール１からリールＮの全リール時間１０２の合計は、合計映画時間期間１０４に等しい。例えば、各デジタルシネマリール１０１は、およそ１０分のリール時間期間１０２を有することができ、望ましくは、映画の特定の区分を（視覚的に、聴覚的に、など）作成するのに必要な全てのコンピュータファイルを含む。例えば、各リール１０１は、画像ファイル、複数のオーディオファイル、および字幕ファイルなどを含むことができる。
【００１８】
各リール１０１は、映画構成の一部である自動化イベント（automation event）を表すインジケータ１０３を含むことができ、映画構成の一部は、システムに対し、照明を５０％に落とす、カーテンを開ける、緊急レベルに対する照明を設定する、照明を最大に明るくする、カーテンを閉めるなどのアクションを実行するように指示する。
【００１９】
有利なことに、本発明は、品質制御、完全性および映画館主の期待に対する適合性について、現在の方法よりもかなり早くデジタルシネマ映画をチェックすることを可能にする時間節約となる自動品質制御（time-saving automatic quality control）のシステムおよび方法を提供する。例えば、本発明は、現在の方法よりおよそ４倍早くデジタルシネマ映画の品質制御を容易にする。例えば、典型的な２時間の映画に対して、手動品質制御チェックは、最低約２時間または３時間以上はかかる。しかし、本発明によるシステムおよび方法を用いると、品質制御レビューを、そのような映画に関してほんの２５分程度で実行することができる。
【００２０】
図２は、本発明の一態様による、品質制御のため実際のビューが必要な部分２０１を示す図１のリールの例示的な図である。テスター（tester）に、各リール１０１のリール時間期間１０２の間中座っているように求める代わりに、テスターに、選択された部分２０１をビューすることのみを求める。選択された部分２０１が、例えば、リール、自動化トリガ、映画の極端な（extreme）部分（例えば、最も静かなポイント２０３、および／または最も騒々しいポイント２０５など）、および／または例えば各リールの中央の時間の期間（duration of time）「信頼構築サンプル」２０１の間の遷移を備えることができることが望ましい。全ての所定の点の合計の時間の期間が、映画の表示の合計時間期間を越えないことが望ましい。実際、全ての選択された部分２０１の間中座っているように求められる合計の時間の期間は、全体の表示の合計時間１０４よりもかなり少ないことに留意されたい。
【００２１】
有利なことに、本発明は、映画の表示の構造およびコンテンツについてのデジタルシネマ再生システムの知識を利用し、表示の一定の部分に焦点をあて、それは例えば、品質制御のパースペクティブの価値の部分とすることができる。したがって、本発明は、デジタルシネマ映画に対して品質制御を実行するための、高効率でしかも効果的な方法を提供する。
【００２２】
図３は、本発明の一態様による、デジタルシネマの表示を評価するための例示的方法のフローチャートである。ステップ３０１では、複数のリールからの少なくとも１つのリールを評価し、各リール時間期間、例えば、Ｘ分内などを判定する。それぞれのデジタルシネマの表示（または、少なくとも１つのリール）について、少なくとも次の所定の点、すなわちリールの遷移、自動化イベント、および「極端な」イベント、が定められることが望ましい（ステップ３０３）。そのような極端なイベントは、例えば、全ての映画の表示の最も騒々しいおよび／または最も静かなポイントなどの聴覚的に極端なポイントを備える。しかし、判定された全ての所定の点の合計時間期間は、デジタルシネマの表示の合計時間期間よりも少ないことが望ましいため、他の所定の点が考慮される場合がある。
【００２３】
評価されるべき（ステップ３０５）選択されたリール部分は、ステップ３０３で判定されるように、少なくともそれぞれの所定の点を含む時間の期間を備える。選択された部分は、同様にさらにバッファ部分を含むことが望ましく、例えば、そのバッファがそれぞれの所定の点の前後に追加の時間の期間を備えてもよい。したがって、一実施形態では、例えば、選択されたリールの部分は、判定されたそれぞれの所定の点の前に合計リール時間Ｘの約５％、判定されたそれぞれの所定の点の後に合計リール時間Ｘの約５％の時間の期間を備えることができる。つまり、選択されたリール部分は、約（所定の点の前に０．０５（Ｘ）分）から約（所定の点の後に０．０５（Ｘ）分）までを備えることができる。
【００２４】
別の部分を、合計リール時間Ｘの少なくとも１０％を備える評価のために選択することができることが望ましい。そのような１０％の選択された部分は、各リールの中央から選択されることが望ましい。例えば、Ｘ分のリール時間期間を有するリールについて、リールの「中央」部分は、各リールの約０．４５（Ｘ）分から約０．５５（Ｘ）分の間の時間期間を備えることができる（例えば、１０分のリールでは、中央部分は、各リールの約４．５分から約５．５分を備える）。
【００２５】
それぞれ１０分間の１２のリールに分けられる２時間の映画の典型的な特徴を用いる一例では、本発明の一態様により実装される品質制御のための方法は、以下の評価となる。
【００２６】
・各リールの遷移の前に約３０秒、後に約３０秒を備えるリールのセクションをレビューする。
【００２７】
・各リールの中央の１分のセクションをレビューする。
【００２８】
・各自動化イベントの前に約３０秒、後に約３０秒を備えるリールのセクションをレビューする。
【００２９】
・最も騒々しい表示の部分および最も静かな表示の部分のそれぞれの前に約３０秒、後に約３０秒を備えるリールのセクションをレビューする。
【００３０】
上記の例では、２時間のデジタルシネマの表示をレビューするために必要とされる合計時間は、ほんの２５分程度であり、現在の方法によるよりも４倍以上早く可能である。
【００３１】
本発明の教示を取り入れる実施形態を、本詳細な説明で示し、説明してきたが、当業者は、これらの教示をさらに取り入れる他の様々な実施形態を容易に考え出すことができる。（例示であって、制限ではないことを意図した）時間節約となりかつ効率的な手法で映画館主の期待に対する適合性についてデジタルシネマ映画をレビューし、評価するためのシステムおよび方法に好適な実施形態を説明してきたが、当業者であれば、上記の教示の観点において修正および変形ができることに留意されたい。添付した特許請求の範囲によって概説されるような本発明の範囲および概念内で、開示された発明の特定の実施形態を変えることができることを理解されたい。本発明を本詳細な説明および明細書で説明してきたが、請求したい事項および特許証によって保護を求める事項は、添付の特許請求の範囲で説明する。
【図面の簡単な説明】
【００３２】
【図１】複数のリールを備える例示的デジタルシネマ映画の概略図である。
【図２】本発明の一態様にかかる、品質制御のための実際のビューが必要な部分を示すリースの例示的な図である。
【図３】本発明の一態様にかかる、デジタルシネマの表示を評価するための例示的な方法のフローチャートである。
【図１】
2009512237.tif 000003
【図２】
2009512237.tif 000004
【図３】
2009512237.tif 000005